(57)【要約】【課題】  コンセントの特定の差込口に負荷が集中することがなく、また、タップ本体をコンセントに安定して取り付けることが可能な差込口増設用タップを提供する。【解決手段】  コンセント２の差込口３ａ，３ｂに取り付けられる差込口増設用タップ１であって、タップ本体４の一つの面（裏面４ａ）にコンセントに設けられた２つの対をなす差込口３ａ，３ｂに挿着可能な２つの対をなす差込用プラグ刃５ａ，５ｂを設け、他の少なくとも１つの面（裏面４ａと反対側の面４ｂ）に前記複数の対をなす差込用プラグ刃５ａ，５ｂと電気的に接続される刃受端子を配した増設用差込口６ａ，６ｂを設ける。【選択図】        図１
2005332694.tif 000002
【特許請求の範囲】
【請求項１】
コンセントの差込口に取り付けられる差込口増設用タップにおいて、タップ本体の一つの面にコンセントに設けられた複数の対をなす差込口に挿着可能な複数の対をなす差込用プラグ刃を設け、他の少なくとも１つの面に前記複数の対をなす差込用プラグ刃と電気的に接続される刃受端子を配した増設用差込口を設けたことを特徴とする差込口増設用タップ。
【請求項２】
前記増設用差込口は、前記タップ本体の前記差込用プラグ刃が設けられた面と反対側の面に設けられていることを特徴とする請求項１記載の差込口増設用タップ。
【請求項３】
前記増設用差込口は、前記タップ本体の前記差込用プラグ刃が設けられた面に続く立設面の１つに設けられていることを特徴とする請求項１記載の差込口増設用タップ。
【請求項４】
前記増設用差込口は、間隔を異ならせて複数設けられていることを特徴とする請求項１記載の差込口増設用タップ。
【発明の詳細な説明】
【技術分野】
【０００１】
本発明は、壁面や柱等に固定された埋込コンセントなどの差込口に取り付けられて差込口数を増設するために用いられる差込口増設用タップに関する。
【背景技術】
【０００２】
家電製品などの増加に伴い、壁面や柱等に設けられた既設のコンセントの差込み口数が不足する場合、差込口を増設するタップやテーブルタップが利用されており、従来においては、例えば、特許文献１の図６に示されるように、タップ本体の１つの面にプラグ刃を設け、他の面に差込口を設けるようにしたタップや、同文献の図７や図１乃至図５、特許文献２〜４で示されるように、所要長さのコードが設けられたテーブルタップなどが公知となっている。
【０００３】
【特許文献１】特開平１０−１６２９１５号公報
【特許文献２】特開２００３−３４６９９５号公報
【特許文献３】特開平２００１−１７６６２６号公報
【特許文献４】特開平１１−４５７７１号公報
【発明の開示】
【発明が解決しようとする課題】
【０００４】
しかしながら、上述したタップやテーブルタップは、いずれも既設のコンセントの差込口の１つ（一対の差込口）を利用して増設するものであるため、１対の差込口の刃受端子に電流が集中する不都合があり、また、タップにあっては、取り付けられるプラグ数が多くなると、ブラグ刃に作用するモーメントが大きくなり、タップ本体がコンセントから脱落する等の不都合があった。
【０００５】
本発明は、以上のような事情に鑑みてなされたものであり、コンセントの特定の差込口に負荷が集中することがなく、また、タップ本体をコンセントに安定して取り付けることが可能な差込口増設用タップを提供することを主たる課題としている。
【課題を解決するための手段】
【０００６】
上記課題を達成するために、この発明に係る差込口増設用タップは、コンセントの差込口に取り付けられるタップであって、タップ本体の一つの面にコンセントに設けられた複数の対をなす差込口に挿着可能な複数の対をなす差込用プラグ刃を設け、他の少なくとも１つの面に前記複数の対をなす差込用プラグ刃と電気的に接続される刃受端子を配した増設用差込口を設けたことを特徴としている（請求項１）。
【０００７】
したがって、複数の対をなすブラグ刃がコンセントの複数の対をなす差込口に挿着されるので、コンセントの特定の差込口の刃受端子に電流が集中する不都合がなくなり、また、タップ本体に取り付けられるプラグ数が多くなっても、タップ本体はコンセントの複数箇所で保持されているので、安定した保持状態を確保することが可能となる。
【０００８】
ここで、増設用差込口は、タップ本体の前記差込用プラグ刃が設けられた面と反対側の面に設けられるようにしても（請求項２）、タップ本体の差込用プラグ刃が設けられた面に続く立設面の１つに設けるようにしてもよい（請求項３）。このような構成とすれば、タップ本体に取り付けられる差込みプラグの方向を揃えることが可能となるので、美観を損なうことがなくなる。
【０００９】
また、増設用差込口は、間隔を異ならせて複数設けるようにしてもよい（請求項４）。このような構成とすることで、アダプター等のように取付スペースが必要な補助器具を取り付ける場合でも、取り付け箇所を選ぶことで隣接する差込口を塞いでしまう不都合がなくなる。
【発明の効果】
【００１０】
以上述べたように、請求項１に係る発明によれば、タップ本体の一つの面にコンセントに設けられた複数の対をなす差込口に挿着可能な複数の対をなす差込用プラグ刃を設け、他の少なくとも１つの面に前記複数の対をなす差込用プラグ刃と電気的に接続される刃受端子を配した増設用差込口を設けるようにしたので、コンセントの特定の差込口の刃受端子に電流が集中する不都合がなくなり、また、タップ本体に取り付けられるプラグ数が多くなっても、タップ本体の安定したコンセントへの保持状態を確保することが可能となる。
【００１１】
また、請求項２及び３に係る発明によれば、タップ本体に取り付けられる差込みプラグの方向を揃えることが可能となるので、美観を損なうことがなくなる。
【００１２】
さらに、請求項４に係る発明によれば、増設用の差込口の間隔を異ならせて設けるようにしたので、取り付ける差込口を選択することで隣接する差込口を塞ぐ不都合がなくなる。
【発明を実施するための最良の形態】
【００１３】
以下、この発明の最良の実施形態を添付図面を参照しながら説明する。
【００１４】
図１において、差込口増設用タップの第１の構成例が示されている。
差込口増設用タップ１は、壁面や柱等に設置された埋込コンセント２などに取り付けられるもので、この構成例においては、埋込コンセント２として、家屋などに多用されている差込口数が２つ（対をなす差込口３ａ，３ｂが２組）のダブルコンセントを用いた場合が示されている。このコンセント２の２つの対をなす差込口３ａ，３ｂは、上下方向に所定の間隔を開けて設けられており、それぞれの差込口３ａ，３ｂには、挿入される差込み用プラグ刃を受け入れる図示しない刃受端子が設けられている。
【００１５】
差込口増設用タップ１は、上下方向に延設された略直方体状のタップ本体４を有し、このタップ本体４の裏面４ａにコンセント２に設けられた２つの対をなす差込口３ａ，３ｂと挿着可能な２つの対をなす差込用プラグ刃５ａ，５ｂが設けられている。また、この差込用プラグ刃５ａ，５ｂが設けられた裏面４ａと反対側の面４ｂには、増設用差込口６ａ，６ｂが上下方向に並べて等間隔に６組設けられている。
【００１６】
それぞれの増設用差込口６ａ，６ｂには、前記２つの対をなす差込用プラグ刃５ａ，５ｂと電気的に接続され、図示しない差込用プラグ刃を受ける刃受け端子が配設され、図２（ａ）に示されるように、それぞれの増設用差込口６ａ，６ｂの一方６ａに配設された刃受端子７ａは、それぞれの対をなす差込用プラグ刃５ａ，５ｂの一方５ａに電気的に接続され、それぞれの増設用差込口６ａ，６ｂの他方６ｂに配設された刃受端子７ｂは、それぞれの対をなす差込用プラグ刃５ａ，５ｂの他方５ｂに電気的に接続されている。
【００１７】
一方の対をなす差込用プラグ刃５ａ，５ｂと他方の対をなす差込用プラグ刃５ａ，５ｂとの間隔は、コンセント２の２つの対をなす差込口３ａ，３ｂに同時に挿着し得る間隔に設けられており、この例においては、上下方向に対称となる位置に設けられている。
【００１８】
このような差込口増設用タップ１を取り付けるには、差込用プラグ刃５ａ，５ｂが形成されたタップ本体４の裏面４ａをコンセント側に向け、２つの対をなす差込用プラグ刃５ａ，５ｂをコンセント２の２つの対をなす差込口３ａ，３ｂに同時に挿入し、差込口増設用タップ１の裏面４ａをコンセント２の表面に接触又は近接させるように押し込めばよい。
【００１９】
したがって、このような差込口増設用タップ１を用いれば、それぞれの対をなす増設用差込口６ａ，６ｂがコンセント２の２つの対をなす差込口３ａ，３ｂに電気的に接続されるので、コンセント２の１組の差込口３ａ，３ｂの刃受端子に電流が集中する不都合がなくなり、また、タップ本体４に取り付けられるプラグ数が多くなっても、タップ本体４は、コンセント２の２箇所で保持されているので、コンセント２への安定した保持状態を確保することが可能となる。さらに、本構成例によれば、タップ本体４に設けられる増設用差込口６ａ，６ｂが差込用プラグ刃５ａ，５ｂが設けられた裏面４ａと反対側の面４ｂにのみ設けられているので、差込みプラグの方向を揃えることが可能となり、美観を損なう不都合もなくなる。
【００２０】
図３に、差込口増設用タップ１の第２の構成例が示されている。
この例においては、タップ本体４が水平方向に延設されると共に、中程が上下方向の一方（図においては下方）に突設して全体として略Ｔ字状のブロック体に形成されている。このタップ本体４の裏面４ａには、水平方向に延設された部分の略中央と下方に突設した部分の略中央との２箇所に、コンセント２に設けられた２つの対をなす差込口３ａ，３ｂと挿着可能な対をなす差込用プラグ刃５ａ，５ｂが設けられている。また、この差込用プラグ刃５ａ，５ｂが設けられた裏面４ａと反対側の面４ｂには、水平方向に延設された部分に、増設用差込口６ａ，６ｂが水平方向に並べて等間隔に６組設けられている。
【００２１】
このような構成においても、それぞれの増設用差込口６ａ，６ｂには、前記２つの対をなす差込用プラグ刃５ａ，５ｂと電気的に接続され、図示しない差込用プラグ刃を受ける刃受け端子が配設され、図２（ａ）に示されるように、それぞれの増設用差込口６ａ，６ｂの一方６ａに配設された刃受端子７ａは、それぞれの対をなす差込用プラグ刃５ａ，５ｂの一方５ａに電気的に接続され、それぞれの増設用差込口６ａ，６ｂの他方６ｂに配設された刃受端子７ｂは、それぞれの対をなす差込用プラグ刃５ａ，５ｂの他方５ｂに電気的に接続されている。
尚、他の構成は、前記構成例と同様であるので、同一個所に同一番号を付して説明を省略する。
【００２２】
したがって、このような差込口増設用タップ１によれば、タップ本体４のそれぞれの対をなす増設用差込口６ａ，６ｂがコンセント２の２つの対をなす差込口３ａ，３ｂに電気的に接続されるので、コンセント２の１組の差込口３ａ，３ｂの刃受端子に電流が集中する不都合がなくなり、また、タップ本体４に取り付けられるプラグ数が多くなっても、タップ本体４は、コンセント２の２箇所で保持されているので、コンセント２への安定した保持状態を確保することが可能となる。さらに、本構成例によれば、タップ本体４に設けられた増設用差込口６ａ，６ｂが差込用プラグ刃５ａ，５ｂが設けられた裏面４ａと反対側の面４ｂにのみ設けられているので、差込みプラグの方向を揃えることが可能となり、美観を損なう不都合もなくなる。
【００２３】
図４に、差込口増設用タップ１の第３の構成例が示されている。
この例においては、タップ本体４が、水平方向に延設されると共に中程が上下方向の一方（図においては上方）に突設して全体として略Ｔ字状のブロック体に形成されている。このタップ本体４の裏面４ａには、水平方向に延設された部分の略中央と上方に突設した部分の略中央との２箇所に、コンセント２に設けられた２つの対をなす差込口３ａ，３ｂと挿着可能な対をなす差込用プラグ刃５ａ，５ｂが設けられている。また、この差込用プラグ刃５ａ，５ｂが設けられた裏面４ａに続く立設面の１つ（図においては、タップ本体４の水平方向に延設された部分の下面４ｃ) には、増設用差込口６ａ，６ｂが水平方向に並べて等間隔に４組設けられている。
【００２４】
このような構成においても、それぞれの増設用差込口６ａ，６ｂには、前記２つの対をなす差込用プラグ刃５ａ，５ｂと電気的に接続され、図示しない差込用プラグ刃を受ける刃受け端子が配設され、図２（ｂ）に示されるように、それぞれの増設用差込口６ａ，６ｂの一方６ａに配設された刃受端子７ａは、対をなすそれぞれの差込用プラグ刃５ａ，５ｂの一方５ａに電気的に接続され、それぞれの増設用差込口６ａ，６ｂの他方６ｂに配設された刃受端子７ｂは、対をなすそれぞれの差込用プラグ刃５ａ，５ｂの他方５ｂに電気的に接続されている。
尚、他の構成は、前記構成例と同様であるので、同一個所に同一番号を付して説明を省略する。
【００２５】
したがって、このような差込口増設用タップ１においても、タップ本体４のそれぞれの対をなす増設用差込口６ａ，６ｂがコンセント２の２つの対をなす差込口３ａ，３ｂに電気的に接続されるので、コンセント２の１組の差込口３ａ，３ｂの刃受端子に電流が集中する不都合がなくなり、また、タップ本体４に取り付けられるプラグ数が多くなっても、タップ本体４は、コンセント２の２箇所で保持されているので、コンセント２への安定した保持状態を確保することが可能となる。さらに、本構成例によれば、タップ本体４に設けられる増設用差込口６ａ，６ｂが差込用プラグ刃５ａ，５ｂが設けられた裏面４ａに続く立設面の１つに設けられているので、差込みプラグの方向を揃えることが可能となり、美観を損なう不都合もなくなる。
【００２６】
図５に、差込口増設用タップ１の第４の構成例が示されている。
この例においては、タップ本体４がコンセント２を覆うような略直方体状のブロック体によって構成され、このタップ本体４の裏面４ａにコンセント２に設けられた２つの対をなす差込口３ａ，３ｂと挿着可能な２つの対をなす差込用プラグ刃５ａ，５ｂが上下に設けられている。また、この差込用プラグ刃５ａ，５ｂが設けられた裏面４ａと反対側の面
４ｂには、増設用差込口６ａ，６ｂが２列に形成され、各列に３組づつ設けられている。
【００２７】
このような構成においても、それぞれの増設用差込口６ａ，６ｂには、前記２つの対をなす差込用プラグ刃５ａ，５ｂと電気的に接続され、図示しない差込用プラグ刃を受ける刃受け端子が配設され、図２（ｃ）に示されるように、それぞれの増設用差込口６ａ，６ｂの一方６ａに配設された刃受端子７ａは、対をなすそれぞれの差込用プラグ刃５ａ，５ｂの一方５ａに電気的に接続され、それぞれの増設用差込口６ａ，６ｂの他方６ｂに配設された刃受端子７ｂは、対をなすそれぞれの差込用プラグ刃５ａ，５ｂの他方５ｂに電気的に接続されている。
尚、他の構成は、前記構成例と同様であるので、同一個所に同一番号を付して説明を省略する。
【００２８】
したがって、このような構成においても、タップ本体４のそれぞれの対をなす増設用差込口６ａ，６ｂがコンセント２の２つの対をなす差込口３ａ，３ｂに電気的に接続されるので、コンセント２の１組の差込口３ａ，３ｂの刃受端子に電流が集中する不都合がなくなり、また、タップ本体４に取り付けられるプラグ数が多くなっても、タップ本体４は、コンセント２の２箇所で保持されているので、コンセント２への安定した保持状態を確保することが可能となる。さらに、本構成例によれば、タップ本体４に設けられた増設用差込口６ａ，６ｂが差込用プラグ刃５ａ，５ｂが設けられた面４ａと反対側の面４ｂにのみ設けられているので、差込みプラグの方向を揃えることが可能となり、美観を損なう不都合もなくなる。
【００２９】
尚、本発明に係る実施形態は、上述した構成例に限定されるものではなく、タップ本体４に設けられる増設用差込口６ａ，６ｂは、差込用プラグ刃５ａ，５ｂが設けられた面に続く立設面のうち、上面や側面に設けるようにしてもよい。
また、上述の構成例においては、タップ本体４の増設用差込口６ａ，６ｂが等間隔に設けられているが、これに挿着されるプラグ刃が設けられた補助機具の大きさが多様であることに鑑み、間隔を異ならせて配設してもよい。このような構成とすれば、プラグ刃を挿着する増設差込口６ａ，６ｂを選択することで隣接する差込口を塞いでしまう不都合がなくなる。
さらに、上述の構成例では、タップの差込用プラグ刃５ａ，５ｂが２組設けられた構成例を示したが、差込用プラグ刃を３組以上設け、差込み口数が３つ以上あるコンセントに対応させるようにしてもよい。
【図面の簡単な説明】
【００３０】
【図１】図１は、本発明に係る差込口増設用タップの第１の構成例を示す斜視図であり、図１（ａ）は、コンセントに対峙して設けられた差込口増設用タップを正面側から見た斜視図であり、図１（ｂ）は、差込口増設用タップを裏面側から見た斜視図である。
【図２】図２は、本発明に係る差込口増設用タップの電気的接続状態を示す図であり、図２（ａ）は図１及び図３に示す構成例の電気的接続状態を示し、図２（ｂ）は図４に示す構成例の電気的接続状態を示し、図２（ｃ）は図５に示す構成例の電気的接続状態を示す。
【図３】図３は、本発明に係る差込口増設用タップの第２の構成例を示す斜視図であり、図３（ａ）は、コンセントに対峙して設けられた差込口増設用タップを正面側から見た斜視図であり、図３（ｂ）は、差込口増設用タップを裏面側から見た斜視図である。
【図４】図４は、本発明に係る差込口増設用タップの第３の構成例を示す斜視図であり、図４（ａ）は、コンセントに対峙して設けられた差込口増設用タップを正面側から見た斜視図であり、図４（ｂ）は、差込口増設用タップを底面側から見た斜視図である。
【図５】図５は、本発明に係る差込口増設用タップの第４の構成例を示す斜視図であり、図５（ａ）は、コンセントに対峙して設けられた差込口増設用タップを正面側から見た斜視図であり、図５（ｂ）は、差込口増設用タップを裏面側から見た斜視図である。
【符号の説明】
【００３１】
１  差込口増設用タップ
２  コンセント
３ａ，３ｂ  差込口
４  タップ本体
５ａ，５ｂ  差込用プラグ刃
６ａ，６ｂ  増設用差込口
７ａ，７ｂ  刃受端子
【図１】
2005332694.tif 000003
【図２】
2005332694.tif 000004
【図３】
2005332694.tif 000005
【図４】
2005332694.tif 000006
【図５】
2005332694.tif 000007